【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成装置の装置本体であって前記記録媒体を搬送する搬送部材を備えた装置本体に着脱自在なプロセスカートリッジであって、
現像剤を担持する現像剤担持体と、
前記現像剤担持体を回転可能に支持する枠体と、
前記現像剤担持体の回転軸方向に対して交差する方向に延びるとともに前記枠体の第１面に固定され、前記現像剤担持体の前記回転軸方向における端部と、前記枠体と、の間の第１の隙間を塞ぐシール部材と、
前記枠体と、前記シール部材の前記交差する方向における端部と、の間の第２の隙間を塞ぐ封止部と、
を有し、
前記枠体は、
前記封止部を形成すべく前記第２の隙間にエラストマーを注入するための注入口と、
前記枠体における前記第１面とは反対側の第２面と前記第２面から突出する壁とによって囲まれる空間であって、前記第２の隙間から溢れ出たエラストマーを留める空間である貯留部と、
前記枠体の前記第２面から前記貯留部の前記壁よりも前記壁の突出する方向に突き出した突出部であって、前記回転軸方向から見て前記貯留部に重なるように設けられた突出部と、
が設けられており、
前記突出部は、プロセスカートリッジが前記装置本体に取り付けられたときに、前記搬送部材によって搬送される前記記録媒体と接触するように構成されていることを特徴とするプロセスカートリッジ。
【請求項２】
前記突出部は、前記搬送部材によって搬送される記録媒体が前記貯留部に留められた前記エラストマーと接触するのを妨げるように設けられることを特徴とする請求項１に記載のプロセスカートリッジ。
【請求項３】
前記突出部は、前記搬送部材によって前記記録媒体が搬送される搬送方向に延びるとともに、プロセスカートリッジが前記装置本体に取り付けられたときに前記記録媒体をガイドすることを特徴とする請求項１または２に記載のプロセスカートリッジ。
【請求項４】
前記突出部は、記録媒体が前記突出部を通過する際に、前記突出部が突き出す方向から見て記録媒体と重なるように設けられていることを特徴とする請求項１〜３のいずれか１項に記載のプロセスカートリッジ。
【請求項５】
前記枠体は、一対の前記貯留部と一対の前記突出部とを含み、
前記一対の前記貯留部は、前記現像剤担持体の前記回転軸方向における一端と他端にそれぞれ設けられ、
前記一対の前記突出部も、前記現像剤担持体の前記回転軸方向における一端と他端にそれぞれ設けられていることを特徴とする請求項１〜４のいずれか１項に記載のプロセスカートリッジ。
【請求項６】
前記一対の前記突出部は、前記回転軸方向において、前記一対の前記貯留部の一方と他方との間に配置されていることを特徴とする請求項５に記載のプロセスカートリッジ。
【請求項７】
記録媒体に画像を形成する画像形成装置であって、
前記記録媒体を搬送する搬送部材と、
現像剤像が形成される像担持体と、
現像剤を担持し、前記像担持体に前記現像剤を供給する現像剤担持体と、
前記現像剤担持体を回転可能に支持する枠体と、
前記現像剤担持体の回転軸方向に対して交差する方向に延びるとともに前記枠体の第１面に固定され、前記現像剤担持体の前記回転軸方向における端部と、前記枠体と、の間の第１の隙間を塞ぐシール部材と、
前記枠体と、前記シール部材の前記交差する方向における端部と、の間の第２の隙間を塞ぐ封止部と、
を有し、
前記枠体は、
前記封止部を形成すべく前記第２の隙間にエラストマーを注入するための注入口と、
前記枠体における前記第１面とは反対側の第２面と前記第２面から突出する壁とによって囲まれる空間であって、前記第２の隙間から溢れ出たエラストマーを留める空間である貯留部と、
前記枠体の前記第２面から前記貯留部の前記壁よりも前記壁の突出する方向に突き出した突出部であって、前記回転軸方向から見て前記貯留部に重なるように設けられた突出部と、
が設けられており、
前記突出部は、前記搬送部材によって搬送される前記記録媒体と接触するように構成されていることを特徴とする画像形成装置。
【請求項８】
前記現像剤担持体から前記現像剤が供給される像担持体をさらに有し、
前記突出部が、リブであり、
前記リブの厚み方向が、前記現像剤担持体の前記回転軸方向に沿った方向であり、
前記リブの先端面が、前記現像剤担持体の前記回転軸方向と直交するプロセスカートリッジの断面において、前記現像剤担持体の回転中心から前記像担持体の回転中心に向かう方向に延びていることを特徴とする請求項１〜６のいずれか１項に記載のプロセスカートリッジ。
【請求項９】
前記突出部は、前記現像剤担持体の回転方向において前記貯留部の内側に設けられていることを特徴とする請求項１〜６、８のいずれか１項に記載のプロセスカートリッジ。
【請求項１０】
前記記録媒体を搬送しつつ前記像担持体から前記記録媒体へ画像を転写させる転写ニッ
プを前記像担持体とともに形成する転写部材をさらに有し、
前記搬送部材は、前記記録媒体を前記転写ニップに搬送するように構成され、
前記突出部は、前記搬送部材と前記転写ニップとの間の搬送経路に搬送されている前記記録媒体と接触するように構成されていることを特徴とする請求項７に記載の画像形成装置。
【請求項１１】
前記突出部が、リブであり、
前記リブの厚み方向が、前記現像剤担持体の前記回転軸方向に沿った方向であり、
前記リブの先端面が、前記搬送部材によって前記記録媒体が搬送される搬送方向に延びていることを特徴とする請求項７または１０に記載の画像形成装置。
【請求項１２】
前記突出部は、前記現像剤担持体の回転方向において前記貯留部の内側に設けられていることを特徴とする請求項７、１０、１１のいずれか１項に記載の画像形成装置。
【請求項１３】
記録媒体に画像を形成する画像形成装置の装置本体であって前記記録媒体を搬送する搬送部材を備えた装置本体に着脱自在なプロセスカートリッジであって、
現像剤を担持する現像剤担持体と、
前記現像剤担持体を回転可能に支持する枠体と、
前記現像剤担持体の回転軸方向に対して交差する方向に延びるとともに前記枠体の第１面に固定され、前記現像剤担持体の前記回転軸方向における端部と、前記枠体と、の間の第１の隙間を塞ぐシール部材と、
前記枠体と、前記シール部材の前記交差する方向における端部と、の間の第２の隙間を塞ぐ封止部と、
を有し、
前記枠体は、
前記封止部を形成すべく前記第２の隙間にエラストマーを注入するための注入口と、
前記枠体における前記第１面とは反対側の第２面と前記第２面から突出する壁とによって囲まれる空間であって、前記第２の隙間から溢れ出たエラストマーを留める空間である貯留部と、
前記枠体の前記第２面から前記貯留部の前記壁よりも前記壁の突出する方向に突き出した突出部と、
が設けられており、
前記突出部は、プロセスカートリッジが前記装置本体に取り付けられたときに、前記搬送部材によって搬送される前記記録媒体と接触するように構成されているとともに、前記搬送部材によって搬送される記録媒体が前記貯留部に留められた前記エラストマーと接触するのを妨げるように設けられていることを特徴とするプロセスカートリッジ。
【請求項１４】
記録媒体に画像を形成する画像形成装置であって、
前記記録媒体を搬送する搬送部材と、
現像剤像が形成される像担持体と、
現像剤を担持し、前記像担持体に前記現像剤を供給する現像剤担持体と、
前記現像剤担持体を回転可能に支持する枠体と、
前記現像剤担持体の回転軸方向に対して交差する方向に延びるとともに前記枠体の第１面に固定され、前記現像剤担持体の前記回転軸方向における端部と、前記枠体と、の間の第１の隙間を塞ぐシール部材と、
前記枠体と、前記シール部材の前記交差する方向における端部と、の間の第２の隙間を塞ぐ封止部と、
を有し、
前記枠体は、
前記封止部を形成すべく前記第２の隙間にエラストマーを注入するための注入口と、
前記枠体における前記第１面とは反対側の第２面と前記第２面から突出する壁とによって囲まれる空間であって、前記第２の隙間から溢れ出たエラストマーを留める空間である貯留部と、
前記枠体の前記第２面から前記貯留部の前記壁よりも前記壁の突出する方向に突き出した突出部と、
が設けられており、
前記突出部は、前記搬送部材によって搬送される前記記録媒体と接触するように構成されているとともに、前記搬送部材によって搬送される記録媒体が前記貯留部に留められた前記エラストマーと接触するのを妨げるように設けられていることを特徴とする画像形成装置。
【手続補正２】
【補正対象書類名】明細書
【補正対象項目名】発明の名称
【補正方法】変更
【補正の内容】
【発明の名称】プロセスカートリッジおよび画像形成装置
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、上記目的を達成するために、本発明であるプロセスカートリッジは、
記録媒体に画像を形成する画像形成装置の装置本体であって前記記録媒体を搬送する搬送部材を備えた装置本体に着脱自在なプロセスカートリッジであって、
現像剤を担持する現像剤担持体と、
前記現像剤担持体を回転可能に支持する枠体と、
前記現像剤担持体の回転軸方向に対して交差する方向に延びるとともに前記枠体の第１面に固定され、前記現像剤担持体の前記回転軸方向における端部と、前記枠体と、の間の第１の隙間を塞ぐシール部材と、
前記枠体と、前記シール部材の前記交差する方向における端部と、の間の第２の隙間を塞ぐ封止部と、
を有し、
前記枠体は、
前記封止部を形成すべく前記第２の隙間にエラストマーを注入するための注入口と、
前記枠体における前記第１面とは反対側の第２面と前記第２面から突出する壁とによって囲まれる空間であって、前記第２の隙間から溢れ出たエラストマーを留める空間である貯留部と、
前記枠体の前記第２面から前記貯留部の前記壁よりも前記壁の突出する方向に突き出した突出部であって、前記回転軸方向から見て前記貯留部に重なるように設けられた突出部と、
が設けられており、
前記突出部は、プロセスカートリッジが前記装置本体に取り付けられたときに、前記搬送部材によって搬送される前記記録媒体と接触するように構成されていることを特徴とする。
また、上記目的を達成するために、本発明であるプロセスカートリッジは、
記録媒体に画像を形成する画像形成装置の装置本体であって前記記録媒体を搬送する搬送部材を備えた装置本体に着脱自在なプロセスカートリッジであって、
現像剤を担持する現像剤担持体と、
前記現像剤担持体を回転可能に支持する枠体と、
前記現像剤担持体の回転軸方向に対して交差する方向に延びるとともに前記枠体の第１面に固定され、前記現像剤担持体の前記回転軸方向における端部と、前記枠体と、の間の第１の隙間を塞ぐシール部材と、
前記枠体と、前記シール部材の前記交差する方向における端部と、の間の第２の隙間を塞ぐ封止部と、
を有し、
前記枠体は、
前記封止部を形成すべく前記第２の隙間にエラストマーを注入するための注入口と、
前記枠体における前記第１面とは反対側の第２面と前記第２面から突出する壁とによって囲まれる空間であって、前記第２の隙間から溢れ出たエラストマーを留める空間である貯留部と、
前記枠体の前記第２面から前記貯留部の前記壁よりも前記壁の突出する方向に突き出した突出部と、
が設けられており、
前記突出部は、プロセスカートリッジが前記装置本体に取り付けられたときに、前記搬送部材によって搬送される前記記録媒体と接触するように構成されているとともに、前記搬送部材によって搬送される記録媒体が前記貯留部に留められた前記エラストマーと接触するのを妨げるように設けられていることを特徴とする。
【手続補正５】
【補正対象書類名】明細書
【補正対象項目名】００１２
【補正方法】変更
【補正の内容】
【００１２】
また、上記目的を達成するために、本発明である画像形成装置は、
記録媒体に画像を形成する画像形成装置であって、
前記記録媒体を搬送する搬送部材と、
現像剤像が形成される像担持体と、
現像剤を担持し、前記像担持体に前記現像剤を供給する現像剤担持体と、
前記現像剤担持体を回転可能に支持する枠体と、
前記現像剤担持体の回転軸方向に対して交差する方向に延びるとともに前記枠体の第１面に固定され、前記現像剤担持体の前記回転軸方向における端部と、前記枠体と、の間の第１の隙間を塞ぐシール部材と、
前記枠体と、前記シール部材の前記交差する方向における端部と、の間の第２の隙間を塞ぐ封止部と、
を有し、
前記枠体は、
前記封止部を形成すべく前記第２の隙間にエラストマーを注入するための注入口と、
前記枠体における前記第１面とは反対側の第２面と前記第２面から突出する壁とによって囲まれる空間であって、前記第２の隙間から溢れ出たエラストマーを留める空間であ
る貯留部と、
前記枠体の前記第２面から前記貯留部の前記壁よりも前記壁の突出する方向に突き出した突出部であって、前記回転軸方向から見て前記貯留部に重なるように設けられた突出部と、
が設けられており、
前記突出部は、前記搬送部材によって搬送される前記記録媒体と接触するように構成されていることを特徴とする。
また、上記目的を達成するために、本発明である画像形成装置は、
記録媒体に画像を形成する画像形成装置であって、
前記記録媒体を搬送する搬送部材と、
現像剤像が形成される像担持体と、
現像剤を担持し、前記像担持体に前記現像剤を供給する現像剤担持体と、
前記現像剤担持体を回転可能に支持する枠体と、
前記現像剤担持体の回転軸方向に対して交差する方向に延びるとともに前記枠体の第１面に固定され、前記現像剤担持体の前記回転軸方向における端部と、前記枠体と、の間の第１の隙間を塞ぐシール部材と、
前記枠体と、前記シール部材の前記交差する方向における端部と、の間の第２の隙間を塞ぐ封止部と、
を有し、
前記枠体は、
前記封止部を形成すべく前記第２の隙間にエラストマーを注入するための注入口と、
前記枠体における前記第１面とは反対側の第２面と前記第２面から突出する壁とによって囲まれる空間であって、前記第２の隙間から溢れ出たエラストマーを留める空間である貯留部と、
前記枠体の前記第２面から前記貯留部の前記壁よりも前記壁の突出する方向に突き出した突出部と、
が設けられており、
前記突出部は、前記搬送部材によって搬送される前記記録媒体と接触するように構成されているとともに、前記搬送部材によって搬送される記録媒体が前記貯留部に留められた前記エラストマーと接触するのを妨げるように設けられていることを特徴とする。